(57)【要約】【課題】バックライトユニットの交換を適切な時期に行うことが可能な表示システムを提供する。【解決手段】この表示システム６０は、液晶表示パネル５の背面側に設けられたバックライトユニット６と、バックライトユニット６から発光される光の輝度値を測定する輝度センサ２７と、輝度センサ２７により測定される輝度値がバックライトユニット６の交換が必要な限界値よりも低くなっているか否かを判断する判断部５２とを備えている。【選択図】図１
2008015128.tif 000002
【特許請求の範囲】
【請求項１】
表示パネルと、
前記表示パネルの背面側に設けられたバックライトユニットと、
前記バックライトユニットから発光される光の輝度値を測定する輝度センサと、
前記輝度センサにより測定される輝度値が前記バックライトユニットの交換が必要な限界値よりも低くなっているか否かを判断する判断手段とを備えていることを特徴とする表示システム。
【請求項２】
前記輝度センサにより測定される輝度値が前記バックライトユニットの交換が必要な限界値よりも低くなっている場合に、前記バックライトユニットの交換が必要であることが前記表示パネルに表示されることを特徴とする請求項１に記載の表示システム。
【請求項３】
前記輝度センサにより測定される輝度値が前記バックライトユニットの交換が必要な限界値よりも低くなっている場合に、点灯または消灯する警告灯をさらに備えていることを特徴とする請求項１または２に記載の表示システム。
【請求項４】
前記輝度センサにより測定される輝度値を記憶する記憶手段をさらに備え、
前記判断手段による判断動作は、前記記憶手段に記憶された輝度値を読み出すことによって行われることを特徴とする請求項１〜３のいずれかに記載の表示システム。
【請求項５】
前記輝度センサによる測定動作および前記判断手段による判断動作は、前記バックライトユニットが動作している期間中、連続して行われることを特徴とする請求項１〜４のいずれかに記載の表示システム。
【請求項６】
前記判断手段は、前記バックライトユニットが最初に使用された第１時期に前記輝度センサにより測定された第１輝度値と、前記第１時期以降の第２時期に前記輝度センサにより測定された第２輝度値との差を算出し、前記第１輝度値と前記第２輝度値との差の大きさに基づいて、前記第２輝度値が前記限界値よりも低くなっているか否かを判断するように構成されていることを特徴とする請求項１〜５のいずれかに記載の表示システム。
【発明の詳細な説明】
【技術分野】
【０００１】
この発明は、表示システムに関し、特に、バックライトユニットを備えた表示システムに関する。
【背景技術】
【０００２】
従来、液晶の光学的性質の変化を利用して表示を行う液晶表示装置を含む表示システムが知られている。従来の表示システムに含まれる液晶表示装置では、液晶表示パネルの背面側にバックライトユニットが設けられており、そのバックライトユニットから発光される光が液晶表示パネルに照射されることによって、文字や画像などが表示される。また、従来では、上記した液晶表示装置において、バックライトユニットの近傍に輝度センサを設けるとともに、その輝度センサにより測定される輝度値に基づいて、バックライトユニットに供給する電力を制御する技術が知られている（たとえば、特許文献１参照）。
【０００３】
ところで、上記した従来の液晶表示装置では、バックライトユニットの使用時間が長くなるのに伴って、バックライトユニットから発光される光の輝度値が徐々に低下することが知られている。そして、バックライトユニットから発光される光の輝度値が所定の値（以下、限界値という）よりも低くなった場合には、画質が低下するという不都合が発生する。したがって、バックライトユニットから発光される光の輝度値が限界値よりも低くなった場合には、バックライトユニットを交換するなどの対策を施す必要がある。
【０００４】
【特許文献１】特開２０００−３１５５９６号公報
【発明の開示】
【発明が解決しようとする課題】
【０００５】
しかしながら、上記特許文献１では、バックライトユニットから発光される光の輝度値を輝度センサにより測定することができたとしても、その輝度センサにより測定された輝度値は、バックライトユニットへの供給電力の制御にのみ使用される。このため、上記特許文献１では、バックライトユニットから発光される光の輝度値が限界値よりも低くなっているか否かをユーザに知らせるのが困難であるという不都合がある。その結果、バックライトユニットの交換を適切な時期に行うのが困難になるという問題点がある。
【０００６】
この発明は、上記のような課題を解決するためになされたものであり、この発明の目的は、バックライトユニットの交換を適切な時期に行うことが可能な表示システムを提供することである。
【課題を解決するための手段】
【０００７】
上記目的を達成するために、この発明の一の局面による表示システムは、表示パネルと、表示パネルの背面側に設けられたバックライトユニットと、バックライトユニットから発光される光の輝度値を測定する輝度センサと、輝度センサにより測定される輝度値がバックライトユニットの交換が必要な限界値よりも低くなっているか否かを判断する判断手段とを備えている。
【０００８】
この一の局面による表示システムでは、上記のように、バックライトユニットから発光される光の輝度値を測定する輝度センサと、その輝度センサにより測定される輝度値がバックライトユニットの交換が必要な限界値よりも低くなっているか否かを判断する判断手段とを設けることによって、バックライトユニットから発光される光の輝度値がバックライトユニットの交換が必要な限界値よりも低くなっている場合に、バックライトユニットの交換が必要であることを判断手段の判断結果から容易に知ることができる。これにより、バックライトユニットの交換を適切な時期に行うことができる。
【０００９】
上記一の局面による表示システムにおいて、好ましくは、輝度センサにより測定される輝度値がバックライトユニットの交換が必要な限界値よりも低くなっている場合に、バックライトユニットの交換が必要であることが表示パネルに表示される。このように構成すれば、容易に、バックライトユニットの交換が必要であることを表示パネルの表示内容から知ることができる。
【００１０】
上記一の局面による表示システムにおいて、好ましくは、輝度センサにより測定される輝度値がバックライトユニットの交換が必要な限界値よりも低くなっている場合に、点灯または消灯する警告灯をさらに備えている。このように構成すれば、容易に、バックライトユニットの交換が必要であることを警告灯の点灯状態から知ることができる。
【００１１】
上記一の局面による表示システムにおいて、好ましくは、輝度センサにより測定される輝度値を記憶する記憶手段をさらに備え、判断手段による判断動作は、記憶手段に記憶された輝度値を読み出すことによって行われる。このように構成すれば、容易に、判断手段による判断動作（バックライトユニットから発光される光の輝度値がバックライトユニットの交換が必要な限界値よりも低くなっているか否かの判断）を行うことができる。
【００１２】
上記一の局面による表示システムにおいて、好ましくは、輝度センサによる測定動作および判断手段による判断動作は、バックライトユニットが動作している期間中、連続して行われる。このように構成すれば、バックライトユニットから発光される光の輝度値がバックライトユニットの交換が必要な限界値よりも低くなった時点で、瞬時にバックライトユニットの交換が必要であることを知ることができる。
【００１３】
上記一の局面による表示システムにおいて、好ましくは、判断手段は、バックライトユニットが最初に使用された第１時期に輝度センサにより測定された第１輝度値と、第１時期以降の第２時期に輝度センサにより測定された第２輝度値との差を算出し、第１輝度値と第２輝度値との差の大きさに基づいて、第２輝度値が限界値よりも低くなっているか否かを判断するように構成されている。このように構成すれば、容易に、バックライトユニットから発光される光の輝度値（第２輝度値）がバックライトユニットの交換が必要な限界値よりも低くなっているか否かを判断することができる。
【発明の効果】
【００１４】
以上のように、本発明によれば、バックライトユニットの交換を適切な時期に行うことが可能な表示システムを得ることができる。
【発明を実施するための最良の形態】
【００１５】
（第１実施形態）
図１は、本発明の第１実施形態による表示システムの全体構成を示したブロック図である。図２は、図１に示した第１実施形態による表示システムに含まれる液晶表示装置を前面側から見た場合の斜視図である。図３は、図１に示した第１実施形態による表示システムに含まれる液晶表示装置の分解斜視図である。図４は、図１に示した第１実施形態による表示システムに含まれる液晶表示装置を背面側から見た場合の斜視図である（液晶表示装置から背面側ケースを取り外した状態）。
【００１６】
まず、図１を参照して、第１実施形態による表示システムの全体構成について説明する。第１実施形態による表示システム６０は、図１に示すように、液晶表示装置４０と、その液晶表示装置４０に接続された外部制御装置５０とを備えている。液晶表示装置４０は、たとえば、車載用のナビゲーションシステムの表示部として機能するように構成されている。そして、第１実施形態の液晶表示装置４０は、外部制御装置５０によって動作が制御される。
【００１７】
次に、図２〜図４を参照して、第１実施形態による表示システム６０に含まれる液晶表示装置４０について詳細に説明する。第１実施形態では、図２および図３に示すように、前面側に位置する前面側ケース１と、背面側に位置する背面側ケース２とによって、液晶表示装置４０の箱状のケース３が構成されている。ケース３を構成する前面側ケース１および背面側ケース２は、それぞれ、約０．３ｍｍの厚みを有する金属板（板部材）からなる。また、前面側ケース１は、金属板が背面側に向かって垂直に折り曲げられることによって形成された側部１ａを有している。また、背面側ケース２は、金属板が前面側に向かって垂直に折り曲げられることによって形成された側部２ａを有している。
【００１８】
また、ケース３の内部には、ポリカーボネート樹脂（絶縁材料）からなる枠体４が配置されている。この枠体４は、図３に示すように、４つの板状の側部４ａが一体的に連結されることによって枠状に形成されている。また、枠体４の側部４ａは、ケース３の内側面に沿って配置されている。また、枠体４の内側には、後述する液晶表示パネル５を支持するための支持部４ｂが一体的に形成されている。
【００１９】
また、図２および図３に示すように、前面側ケース１は、その側部１ａが枠体４の側部４ａに取り付けられることによって、枠体４に対して固定されている。また、背面側ケース２は、その側部２ａが枠体４の側部４ａに取り付けられることによって、枠体４に対して固定されている。具体的には、前面側ケース１の側部１ａには、複数の係合穴１ｂが形成されているとともに、背面側ケース２の側部２ａには、複数の係合穴２ｂが形成されている。また、枠体４の側部４ａには、前面側ケース１の複数の係合穴１ｂとそれぞれ係合する複数の突出片４ｃと、背面側ケース２の複数の係合穴２ｂとそれぞれ係合する複数の突出片４ｄとが一体的に形成されている。
【００２０】
そして、前面側ケース１の係合穴１ｂが枠体４の突出片４ｃと係合し、かつ、背面側ケース２の係合穴２ｂが枠体４の突出片４ｄと係合することによって、前面側ケース１および背面側ケース２が同一の枠体４に対して固定されている。また、前面側ケース１および背面側ケース２が枠体４に対して固定されることによって、前面側ケース１および背面側ケース２によって構成されるケース３が箱状に保持されている。
【００２１】
また、図３に示すように、ケース３の内部には、表示領域５ａおよび非表示領域５ｂを有する液晶表示パネル５と、その液晶表示パネル５の背面側に設けられたバックライトユニット６とが収納されている。液晶表示パネル５の表示領域５ａは、前面側ケース１に形成された開口部１ｃによって、ケース３から露出されている。なお、液晶表示パネル５は、本発明の「表示パネル」の一例である。また、第１実施形態では、ケース３の前面側にタッチパネル３０が設けられており、そのタッチパネル３０によって液晶表示装置４０の操作が行われるように構成されている。
【００２２】
また、液晶表示パネル５は、アクティブマトリクス構造を有している。すなわち、図示しないが、液晶表示パネル５の各画素には、ＴＦＴ（Ｔｈｉｎ  Ｆｉｌｍ  Ｔｒａｎｓｉｓｔｏｒ：薄膜トランジスタ）が１つずつ設けられている。また、液晶表示パネル５のＴＦＴのソース（図示せず）には、ソースドライバ７を含むＦＰＣ（Ｆｌｅｘｉｂｌｅ  Ｐｒｉｎｔｅｄ  Ｃｉｒｃｕｉｔ：フレキシブルプリント配線板）８が接続されているとともに、液晶表示パネル５のＴＦＴのゲート（図示せず）には、ゲートドライバ９を含むＦＰＣ１０が接続されている。
【００２３】
また、バックライトユニット６は、バックライトカバー１１と、反射シート１２と、導光体１３と、光源１４と、光学シート１５とによって構成されている。バックライトカバー１１は、金属板からなるとともに、その金属板が前面側に向かって垂直に折り曲げられることによって形成された側部を有している。そして、反射シート１２、導光体１３、光源１４および光学シート１５は、バックライトカバー１１の内部に収納されている。反射シート１２は、ポリエステル樹脂からなるとともに、バックライトカバー１１の底面上に配置されている。また、反射シート１２は、バックライトカバー１１の内側面に沿って配置された側部を有している。導光体１３は、アクリル樹脂などの透明樹脂からなるとともに、反射シート１２の前面側において反射シート１２の側部に囲まれるように配置されている。光源１４は、ＣＦＬ（Ｃｏｌｄ  Ｆｉｕｏｒｅｓｃｅｎｔ  Ｌａｍｐｓ：冷陰極管）からなるとともに、導光体１３の３辺を囲むように配置されている。すなわち、光源１４は、導光体１３の３辺に沿って延びるようにコの字状に形成されている。この光源１４には、リード線１６を介してコネクタ１７が接続されている。
【００２４】
また、光学シート１５は、導光体１３の前面側の表面上に配置されている。また、光学シート１５は、一方の拡散フィルム１８と、透明導電体フィルム１９と、他方の拡散フィルム２０と、レンズフィルム２１と、輝度上昇フィルム２２とを含んでいる。一方の拡散フィルム１８は、光源１４からの光を横方向または縦方向に拡散させる機能を有するとともに、他方の拡散フィルム２０は、光源１４からの光を縦方向または横方向に拡散させる機能を有している。透明導電体フィルム１９は、ＩＴＯ（Ｉｎｄｉｕｍ  Ｔｉｎ  Ｏｘｉｄｅ）などの透明導電体からなるとともに、ノイズを吸収する機能を有している。レンズフィルム２１は、光源１４からの光の集光などを行う機能を有している。輝度上昇フィルム２２は、光源１４からの光の輝度を上昇させる機能を有している。また、上記した各フィルム１８〜２２は、この順番で、背面側（導光体１３側）から前面側に向かって積層されている。
【００２５】
また、図３および図４に示すように、バックライトユニット６の背面側（バックライトユニット６の液晶表示パネル５側とは反対側）には、制御基板（メイン基板）２３が設けられている。そして、ソースドライバ７を含むＦＰＣ８およびゲートドライバ９を含むＦＰＣ１０は、背面側に向かって折り曲げられることによって、制御基板２３に接続されている。また、ＦＰＣ８および１０が制御基板２３に接続された状態（図４の状態）では、ソースドライバ７およびゲートドライバ９が保護シート２４により覆われている。また、制御基板２３の背面側（制御基板２３のバックライトユニット６側とは反対側）には、サブ基板２５が設けられている。また、制御基板２３とサブ基板２５との間には、制御基板２３とサブ基板２５とを電気的に接続するためのコネクタ２６が設けられている。また、サブ基板２５には、バックライトユニット６から発光される光の輝度値を測定するための輝度センサ２７が実装されている。なお、第１実施形態では、輝度センサ２７による測定動作は、バックライトユニット６が動作している期間中、連続して行われる。
【００２６】
次に、図１を参照して、第１実施形態による表示システム６０に含まれる外部制御装置５０について詳細に説明する。第１実施形態では、図１に示すように、制御部５１と、判断部５２と、不揮発メモリ５３とによって外部制御装置５０が構成されている。制御部５１は、液晶表示パネル５、バックライトユニット６および輝度センサ２７に接続されている。また、判断部５２は、制御部５１に接続されているとともに、不揮発メモリ５３は、判断部５２に接続されている。なお、判断部５２は、本発明の「判断手段」の一例であり、不揮発メモリ５３は、本発明の「記憶手段」の一例である。
【００２７】
外部制御装置５０の制御部５１は、液晶表示パネル５の表示動作の制御や、バックライトユニット６の調光などを行う機能を有している。なお、制御部５１によるバックライトユニット６の調光は、輝度センサ２７により測定された輝度値などに基づいて行われる。
【００２８】
ここで、第１実施形態では、外部制御装置５０の判断部５２は、輝度センサ２７により測定される輝度値がバックライトユニット６の交換が必要な限界値よりも低くなっているか否かを判断する機能を有している。そして、第１実施形態では、輝度センサ２７により測定される輝度値がバックライトユニット６の交換が必要な限界値よりも低くなっていると判断された場合に、バックライトユニット６の交換が必要であることが液晶表示パネル５に表示される。また、第１実施形態では、外部制御装置５０の不揮発メモリ５３は、輝度センサ２７により測定される輝度値を記憶する機能を有している。
【００２９】
図５は、本発明の第１実施形態による表示システムの動作を説明するためのフローチャートである。図６および図７は、本発明の第１実施形態による表示システムの動作（判断部の判断動作）を詳細に説明するための図である。次に、図１および図５〜図７を参照して、第１実施形態による表示システムの動作について説明する。
【００３０】
まず、図５のステップＳ１において、輝度センサ２７（図１参照）により、バックライト６（図１参照）から発光される光の輝度値を測定する。この輝度センサ２７による測定動作は、バックライトユニット６が動作している期間中、連続して行う。なお、輝度センサ２７により測定された輝度値は、不揮発メモリ５３（図１参照）に記憶される。
【００３１】
次に、図５のステップＳ２において、外部制御装置５０の判断部５２（図１参照）により、輝度センサ２７で測定された現在時点の輝度値がバックライトユニット６の交換が必要な限界値よりも低くなっているか否かの判断が行われる。以下に、外部制御装置５０の判断部５２による判断方法を具体的に説明する。なお、以下の説明では、バックライトユニット６が最初に使用された初期時点（第１時期）の輝度値を初期値（第１輝度値）とし、現在時点（第２時期）の輝度値を現在値（第２輝度値）という。
【００３２】
すなわち、まず、外部制御装置５０の判断部５２により、不揮発メモリ５３から初期値が読み出された後、初期値と現在値との差が算出される。そして、図６に示すように、初期値と現在値との差Ａが初期値と限界値との差Ｂよりも大きい場合には、判断部５２により、現在値が限界値よりも低くなっていると判断される。その一方、図７に示すように、初期値と現在値との差Ａが初期値と限界値との差Ｂよりも小さい場合には、判断部５２により、現在値が限界値よりも高いと判断される。そして、現在値が限界値よりも低くなっていると判断された場合（図６の場合）には、図５のステップＳ３に移行するとともに、現在値が限界値よりも高いと判断された場合（図７の場合）には、図５のステップＳ１に戻る。なお、第１実施形態では、上記した判断部５２による判断動作は、バックライトユニット６が動作している期間中、連続して行われる。
【００３３】
次に、図５のステップＳ３において、現在値が限界値よりも低くなっていると判断された場合には、バックライトユニット６の交換が必要であることが液晶表示パネル５（図１参照）に表示される。第１実施形態では、「バックライトユニットを交換してください」という文章や、バックライトユニット６の交換が必要であることが視覚的に識別可能な記号などが液晶表示パネル５に表示される。なお、このときに液晶表示パネル５に表示される文章や記号は、バックライトユニット６の交換が必要であることが理解可能であれば、どのようなものでもよい。また、上記した文章および記号の両方が液晶表示パネル５に表示されるようにしてもよい。そして、上記した文章や記号などが液晶表示パネル５に表示されることによって、バックライトユニット６の交換が必要であることがユーザに伝えられる。
【００３４】
なお、バックライトユニット６の交換が必要であることが液晶表示パネル５に表示された場合には、バックライトユニット６のみを交換するようにしてもよいし、バックライトユニット６を含む液晶表示装置４０を交換するようにしてもよい。
【００３５】
第１実施形態では、上記のように、バックライトユニット６から発光される光の輝度値を測定する輝度センサ２７と、その輝度センサ２７により測定される輝度値がバックライトユニット６の交換が必要な限界値よりも低くなっているか否かを判断する判断部５２とを設けることによって、バックライトユニット６から発光される光の輝度値がバックライトユニット６の交換が必要な限界値よりも低くなっている場合に、バックライトユニット６の交換が必要であることを判断部５２の判断結果から容易に知ることができる。これにより、バックライトユニット６の交換を適切な時期に行うことができる。
【００３６】
また、第１実施形態では、上記のように、輝度センサ２７により測定される輝度値がバックライトユニット６の交換が必要な限界値よりも低くなっている場合に、バックライトユニット６の交換が必要であることが液晶表示パネル５に表示されるように構成することによって、容易に、バックライトユニット６の交換が必要であることを液晶表示パネル５の表示内容から知ることができる。
【００３７】
また、第１実施形態では、上記のように、輝度センサ２７により測定される輝度値を記憶する不揮発メモリ５３を設けるとともに、その不揮発メモリ５３から読み出された輝度値に基づいて判断部５２による判断動作が行われるように構成することによって、容易に、判断部５２による判断動作（バックライトユニット６から発光される光の輝度値がバックライトユニット６の交換が必要な限界値よりも低くなっているか否かの判断）を行うことができる。
【００３８】
また、第１実施形態では、上記のように、輝度センサ２７による測定動作および判断部５２による判断動作が、バックライトユニット６が動作している期間中、連続して行われるように構成することによって、バックライトユニット６から発光される光の輝度値がバックライトユニット６の交換が必要な限界値よりも低くなった時点で、瞬時にバックライトユニット６の交換が必要であることを知ることができる。
【００３９】
（第２実施形態）
図８は、本発明の第２実施形態による表示システムの全体構成を示したブロック図である。図８を参照して、この第２実施形態では、上記第１実施形態と異なり、警告灯を点灯または消灯させることにより、バックライトユニットの交換が必要であることをユーザに知らせる場合について説明する。
【００４０】
この第２実施形態による表示システム７０は、図８に示すように、図１に示した第１実施形態の構成において、外部制御装置５０の制御部５１に接続された警告灯７１をさらに備えている。なお、図８には、警告灯７１が液晶表示装置４０の外部に配置された状態を図示しているが、警告灯７１が液晶表示装置４０の内部に配置されていてもよい。また、警告灯７１は、たとえば、ＬＥＤ（発光ダイオード）などによって構成されている。また、警告灯７１は、輝度センサ２７により測定された現在時点の輝度値がバックライトユニット６の交換が必要な限界値よりも低くなっている場合に、点灯または消灯するように構成されている。すなわち、第２実施形態では、警告灯７１の点灯状態が変化することによって、バックライトユニット６の交換が必要であることがユーザに伝えられる。
【００４１】
なお、第２実施形態のその他の構成および動作は、上記第１実施形態と同様である。
【００４２】
第２実施形態では、上記のように構成することによって、上記第１実施形態と同様の効果を得ることができる。
【００４３】
また、第２実施形態では、上記のように、輝度センサ２７により測定される輝度値がバックライトユニット６の交換が必要な限界値よりも低くなっている場合に、点灯または消灯する警告灯７１を設けることによって、容易に、バックライトユニット６の交換が必要であることを警告灯７１の点灯状態から知ることができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記第１および第２実施形態では、車載用の表示システムに本発明を適用する例を説明したが、本発明はこれに限らず、車載用の表示システム以外の表示システムにも適用可能である。
【００４６】
また、上記第１および第２実施形態では、判断部（判断手段）および不揮発メモリ（記憶手段）を外部制御装置に設けるようにしたが、本発明はこれに限らず、判断部および不揮発メモリを液晶表示装置に設けてもよい。
【００４７】
また、上記第１および第２実施形態では、バックライトユニットの交換が必要であることを視覚的に知らせるようにしたが、本発明はこれに限らず、バックライトユニットの交換が必要であることを音声で知らせるようにしてもよい。
【図面の簡単な説明】
【００４８】
【図１】本発明の第１実施形態による表示システムの全体構成を示したブロック図である。
【図２】図１に示した第１実施形態による表示システムに含まれる液晶表示装置を前面側から見た場合の斜視図である。
【図３】図１に示した第１実施形態による表示システムに含まれる液晶表示装置の分解斜視図である。
【図４】図１に示した第１実施形態による表示システムに含まれる液晶表示装置を背面側から見た場合の斜視図である（液晶表示装置から背面側ケースを取り外した状態）。
【図５】本発明の第１実施形態による表示システムの動作を説明するためのフローチャートである。
【図６】本発明の第１実施形態による表示システムの動作（判断部の判断動作）を詳細に説明するための図である。
【図７】本発明の第１実施形態による表示システムの動作（判断部の判断動作）を詳細に説明するための図である。
【図８】本発明の第２実施形態による表示システムの全体構成を示したブロック図である。
【符号の説明】
【００４９】
５  液晶表示パネル（表示パネル）
６  バックライトユニット
２７  輝度センサ
４０  液晶表示装置
５０  外部制御装置
５２  判断部（判断手段）
５３  不揮発メモリ（記憶手段）
６０、７０  表示システム
７１  警告灯
【図１】
2008015128.tif 000003
【図２】
2008015128.tif 000004
【図３】
2008015128.tif 000005
【図４】
2008015128.tif 000006
【図５】
2008015128.tif 000007
【図６】
2008015128.tif 000008
【図７】
2008015128.tif 000009
【図８】
2008015128.tif 000010